(57)【要約】      （修正有）【課題】強風に耐えることのできるエアドームを提供する。【解決手段】気密空間を構成する膜３と、気密空間内に送風して膜３を膨張させる送風機４と、膜３の膨張を拘束するケーブル５と、ケーブル５を地面に据え付けるアンカー機構６と、を備えている。アンカー機構６は、地面に固定される基礎と、基礎に固定される回転軸と、回転軸に回動自在に支承されてケーブル５が掛けられる滑車と、を有している。【選択図】図１
0003211511.tif 000002
【実用新案登録請求の範囲】
【請求項１】
気密空間を構成する膜と、
前記気密空間内に送風して前記膜を膨張させる送風機と、
前記膜の膨張を拘束するケーブルと、
前記ケーブルを地面に据え付けるアンカー機構と、を備えるエアドーム。
【請求項２】
人が出入りする際に空気圧を維持するように構成されたドアをさらに備える請求項１に記載されたエアドーム。
【請求項３】
前記膜は、外側の布層と、内側の裏地と、から構成される請求項１又は請求項２に記載されたエアドーム。
【請求項４】
前記アンカー機構は、地面に固定される基礎と、前記基礎に固定される回転軸と、前記回転軸に回動自在に支承されて前記ケーブルが掛けられる滑車と、を有する請求項１乃至請求項３のいずれか一項に記載されたエアドーム。
【請求項５】
前記膜の外側に設置されるソーラーパネルをさらに備える請求項１乃至請求項４のいずれか一項に記載されたエアドーム。
【考案の詳細な説明】
【技術分野】
【０００１】
本考案は、空気膨張式のエアドームに関するものである。
【背景技術】
【０００２】
従来から、スポーツや展示会において、雨や寒さ・暑さを防ぐために仮設テントが使用されている。仮設テントとしては、支柱を立てて屋根をビニールや布などで覆う折り畳み式テントが用いられることも多い。折り畳み式テントは、コンパクトに折畳めて持ち運びに便利なため、多種多様なイベントに使用されている。
【０００３】
ところで、従来の折り畳み式テントは、持ち運びや組立てに多大な労力を必要としていた。さらに、折り畳み式テントは、強風に耐えうる強度を維持するために、テントの大きさが制限されていた。また、送風式（バルーン型）のものもあるが、強風時には使用できなかった。
【０００４】
そこで、例えば特許文献１には、揮発性のある化学繊維シートと不燃性シートの２つの素材を縫合して折畳み可能な逆椀形体を形成し、送風機から送り込まれた風によってエアドームを構成させ、エアドーム全体の入出風量のバランスを調整可能とし、適量の風量によって絶えずエアドームを維持できるようにしたことを特徴とするエアドームが提案されている。
【先行技術文献】
【特許文献】
【０００５】
【特許文献１】特開２０００−２０４７９５号公報
【考案の概要】
【考案が解決しようとする課題】
【０００６】
特許文献１のエアドームは、強風時にもドーム自体の変形と風量のバランスとによって対抗するものとされている。しかしながら、大型のドームを構築する場合には、内部の気圧を高くする必要があるためドームが変形しにくいうえ、風量のバランスをとることもきわめて困難である。そのため、実際には、強風時にはドームが風で吹き飛ばされてしまう可能性が高かった。
【０００７】
そこで、本考案は、強風に耐えることのできるエアドームを提供することを目的としている。
【課題を解決するための手段】
【０００８】
前記目的を達成するために、本考案のエアドームは、気密空間を構成する膜と、前記気密空間内に送風して前記膜を膨張させる送風機と、前記膜の膨張を拘束するケーブルと、前記ケーブルを地面に据え付けるアンカー機構と、を備えている。
【考案の効果】
【０００９】
このように、本考案のエアドームは、膜と、送風機と、ケーブルと、アンカー機構と、を備えている。このような構成によれば、風荷重をケーブルによってアンカー機構に伝達することで、強風に吹き飛ばされずに耐えることのできるエアドームとなる。
【図面の簡単な説明】
【００１０】
【図１】エアドームの側面図である。
【図２】エアドームの断面図である。
【図３】エアドームの平面図である。
【図４】アンカー機構の説明図である。
【考案を実施するための形態】
【００１１】
以下、本考案の実施の形態について図面を参照して説明する。
【実施例】
【００１２】
（構成）
はじめに、図１〜図３を用いて本考案のエアドーム１の全体構成を説明する。本考案のエアドーム１は、図１に示すように、気密空間２０を構成する膜３と、気密空間２０内に送風して膜３を膨張させる送風機４と、膜３の膨張を拘束するケーブル５と、ケーブル５を地面に据え付けるアンカー機構６と、を備えている。
【００１３】
膜３は、厚みが大きく高い絶縁値を有する膜である。また、膜３は、抗ＵＶコーティングを有し、抗真菌および抗カビであり、難燃性であり、自己清浄であり、２５年の寿命を有することが好ましい。膜３は、半透明または不透明にすることができ、さまざまな色を使用できることが好ましい。
【００１４】
膜３は、二重にすることができ、その場合は外側の布層３１と内側の裏地３２とによって構成されることが好ましい。膜３は、一重にすることもでき、その場合は外側の布層３１のみを備える。
【００１５】
送風機４は、ドームを膨らませ続ける強力なエアインフレまたはＨＶＡＣシステムを含む。送風機は、自己調節機能（気温と気圧を自動的に調整する機能）を有している。送風機４は、コンピュータまたはモバイルデバイスからリモートで監視することができるようになっていることが好ましい。送風機４は、冷房機能及び／又は暖房機能を有することが好ましい。なお、停電が発生した場合には、ガソリン、ディーゼル、天然ガスなどの燃料で駆動される発電機によって運行される緊急バックアップ用の送付システムが組み込まれている。
【００１６】
ケーブル５は、エアドーム１の周囲に配置されて膜３を補強する。この設計では、積雪荷重１平方フィートあたり５０ポンド（８−１０フィートの累積）を支持する能力がある。ケーブル５は、膜３の外側に掛けられて、外周の直線に対して斜め４５度の位置にあるアンカー機構６に掛けられることで、ダイヤモンド状のパターンを形成している。
【００１７】
さらに、エアドーム１のキルティング状のダイヤモンド状のケーブルパターンは、エアドーム１の構造的負荷の大部分を負担する。雪や風荷重は、このケーブルシステムによってエアドームの基礎（後述するアンカー機構６）に均等に伝達される。これにより、エアドーム１の構造荷重のほんの一部だけが膜３で負担されることとなる。
【００１８】
アンカー機構６は、図４に示すように、エアドーム１の外周に配置されて、ケーブル５が掛け回されることで荷重を地盤に伝達する。アンカー機構６は、基礎６１と、基礎６１に固定されるブラケット６２と、ブラケット６２に支持される回転軸６３と、回転軸６３に回転自在に支承される滑車６４と、を有している。そして、滑車６４に、ケーブル５が掛けられている。エアドーム１を構築しない時期には、アンカー機構６は芝生で覆われる。
【００１９】
照明７は、エネルギーコストを削減するために、広い範囲を証明可能なＬＥＤ照明である。照明７は、エアドーム１の天井部分から吊り下げられる照明７１と、エアドーム１内の周辺部から立ち上がる照明７２と、から構成される。
【００２０】
エアドーム１は、エアドーム１に出入りする際に空気圧を維持するエアロックドア８をさらに備えている。非常に大きなエアロックドア８（車両に十分な大きさ）を使用することもできる。また、緊急時用に、エアドーム１の各壁には緊急出口９が設置されている。
【００２１】
（作用・効果）
次に、本実施例のエアドーム１の奏する作用・効果を列挙して説明する。
【００２２】
（１）上述してきたように、エアドーム１は、気密空間２０を構成する膜３と、気密空間２０内に送風して膜３を膨張させる送風機４と、膜３の膨張を拘束するケーブル５と、ケーブル５を地面に据え付けるアンカー機構６と、を備えている。このため、膜３に受けた荷重がケーブル５を介してアンカー機構６に伝達されて、最終的に地盤に支持させることができる。したがって、強風に耐えることのできるエアドーム１となる。
【００２３】
（２）また、人が出入りする際に空気圧を維持するように構成されたエアロックドア８をさらに備えることで、人の出入りによって空気圧が減少してエアドーム１が収縮してしまうことを防止できる。
【００２４】
（３）さらに、膜３は、外側の布層３１と、内側の裏地３２と、から構成されることで、適度な強度を有するうえ、日中の採光性が良好で気密空間２０を明るく保つことができる。
【００２５】
（４）また、アンカー機構６は、地面に固定される基礎６１と、基礎６１に固定される回転軸６３と、回転軸６３に回動自在に支承されてケーブル５が掛けられる滑車６４と、を有することで、複数のアンカー機構６、・・・に均等に荷重を分散することができる。
【００２６】
さらに、ケーブル５は、外周の直線に対して斜め４５度に立ち上がるようにされ、かつ、アンカー機構６を外周の直線状に均等間隔で配置することで、ケーブル５を交差させて全体としてダイヤモンド状のパターンを構成することが好ましい。
【００２７】
（５）また、膜３の外側にはソーラーパネルをさらに設置することも好ましい。このように構成することで、エアドーム１の外面を利用して発電して夜間の照明などに利用することができる。
【００２８】
以上、図面を参照して、本考案の実施例を詳述してきたが、具体的な構成は、この実施例に限らず、本考案の要旨を逸脱しない程度の設計的変更は、本考案に含まれる。
【符号の説明】
【００２９】
１          エアドーム
２０        気密空間
３          膜
４          送風機
５          ケーブル
６          アンカー機構
６１        基礎
６２        ブラケット
６３        回転軸
６４        滑車
【図１】
0003211511.tif 000003
【図２】
0003211511.tif 000004
【図３】
0003211511.tif 000005
【図４】
0003211511.tif 000006